(57)【要約】      （修正有）【課題】同一チャネルを使用する周囲の無線ＬＡＮ機器からの干渉を制限し、低遅延及び低ジッタを要求条件とするアプリケーションにも対応可能とする。【解決手段】無線ＬＡＮ基地局１１と無線ＬＡＮ端末１２の周辺の与干渉ＡＰ／ＳＴＡ１３−１、−２に関する無線環境情報を収集し、与干渉ＡＰ／ＳＴＡに送信待機期間を設定する干渉制御信号を送信する干渉制御信号送信機２０−１〜４と、干渉制御信号送信機から無線環境情報を収集し、無線環境情報に応じて通信エリア内に与干渉ＡＰ／ＳＴＡが存在する干渉制御信号送信機を判別し、判別した干渉制御信号送信機に対して、無線ＬＡＮ基地局と無線ＬＡＮ端末の通信時間に対応する送信待機期間を設定する干渉制御信号を送信させる干渉制御信号管理装置３０を備える。干渉制御信号を受信した与干渉ＡＰ／ＳＴＡが送信待機期間を設定している間に、無線ＬＡＮ基地局と無線ＬＡＮ端末が優先的に通信を行う。【選択図】図１
2020080489.tif 000002
【特許請求の範囲】
【請求項１】
通信を行う無線ＬＡＮ基地局と無線ＬＡＮ端末の周辺に、干渉信号を及ぼす与干渉ＡＰ／ＳＴＡが存在する無線ＬＡＮシステムにおいて、
前記無線ＬＡＮ基地局と前記無線ＬＡＮ端末の周辺に、前記与干渉ＡＰ／ＳＴＡに関する無線環境情報を収集し、前記与干渉ＡＰ／ＳＴＡに送信待機期間を設定する干渉制御信号を送信する干渉制御信号送信機と、
前記干渉制御信号送信機から前記無線環境情報を収集し、前記無線環境情報に応じて通信エリア内に前記与干渉ＡＰ／ＳＴＡが存在する前記干渉制御信号送信機を判別し、判別した前記干渉制御信号送信機に対して、前記無線ＬＡＮ基地局と前記無線ＬＡＮ端末の通信時間に対応する前記送信待機期間を設定する前記干渉制御信号を送信させる制御を行う干渉制御信号管理装置と
を備え、前記干渉制御信号を受信した前記与干渉ＡＰ／ＳＴＡが前記送信待機期間を設定している間に、前記無線ＬＡＮ基地局と前記無線ＬＡＮ端末が優先的に通信を行う構成である
ことを特徴とする無線ＬＡＮシステム。
【請求項２】
請求項１に記載の無線ＬＡＮシステムにおいて、
前記干渉制御信号管理装置は、前記干渉制御信号送信機が複数あるときに、各干渉制御信号送信機から送信する前記干渉制御信号で設定する前記送信待機期間を同一とし、各干渉制御信号送信機から前記干渉制御信号を同期して送信させる制御を行う構成である
ことを特徴とする無線ＬＡＮシステム。
【請求項３】
請求項１に記載の無線ＬＡＮシステムにおいて、
前記干渉制御信号管理装置は、前記干渉制御信号送信機が複数あるときに、各干渉制御信号送信機から送信する前記干渉制御信号を所定の順番に送信させ、各干渉制御信号で設定する前記送信待機期間の終了が一致するように制御する構成である
ことを特徴とする無線ＬＡＮシステム。
【請求項４】
請求項１に記載の無線ＬＡＮシステムにおいて、
前記干渉制御信号は、その宛先以外の無線ＬＡＮ機器が受信したときに前記送信待機期間を設定するＣＴＳ信号とし、
前記干渉制御信号管理装置は、前記無線ＬＡＮ基地局がダウンリンクデータを送信するときに、前記ＣＴＳ信号の宛先を前記無線ＬＡＮ基地局とし、前記無線ＬＡＮ端末がアップリンクデータを送信するときに、前記ＣＴＳ信号の宛先を前記無線ＬＡＮ端末とする制御を行う構成である
ことを特徴とする無線ＬＡＮシステム。
【請求項５】
請求項１に記載の無線ＬＡＮシステムにおいて、
前記無線ＬＡＮ基地局は、前記無線ＬＡＮ基地局と前記無線ＬＡＮ端末の周辺に配置される分散アンテナを備え、該分散アンテナを介して前記与干渉ＡＰ／ＳＴＡに関する無線環境情報を収集し、前記与干渉ＡＰ／ＳＴＡに送信待機期間を設定する干渉制御信号を送信する干渉制御信号送信機の機能と、前記無線環境情報に応じて通信エリア内に前記与干渉ＡＰ／ＳＴＡが存在する該分散アンテナを判別し、判別した分散アンテナから、前記無線ＬＡＮ基地局と前記無線ＬＡＮ端末の通信時間に対応する前記送信待機期間を設定する前記干渉制御信号を送信する制御を行う干渉制御信号管理装置の機能とを備えた
ことを特徴とする無線ＬＡＮシステム。
【請求項６】
通信を行う無線ＬＡＮ基地局と無線ＬＡＮ端末の周辺に、干渉信号を及ぼす与干渉ＡＰ／ＳＴＡが存在する無線ＬＡＮシステムの干渉制御方法において、
前記無線ＬＡＮ基地局と前記無線ＬＡＮ端末の周辺に配置する干渉制御信号送信機は、前記与干渉ＡＰ／ＳＴＡに関する無線環境情報を収集し、前記与干渉ＡＰ／ＳＴＡに送信待機期間を設定する干渉制御信号を送信し、
前記干渉制御信号送信機から前記無線環境情報を収集する干渉制御信号管理装置は、前記無線環境情報に応じて通信エリア内に前記与干渉ＡＰ／ＳＴＡが存在する前記干渉制御信号送信機を判別し、判別した前記干渉制御信号送信機に対して、前記無線ＬＡＮ基地局と前記無線ＬＡＮ端末の通信時間に対応する前記送信待機期間を設定する前記干渉制御信号を送信させる制御を行い、
前記干渉制御信号を受信した前記与干渉ＡＰ／ＳＴＡが前記送信待機期間を設定している間に、前記無線ＬＡＮ基地局と前記無線ＬＡＮ端末が優先的に通信を行う
ことを特徴とする無線ＬＡＮシステムの干渉制御方法。
【請求項７】
請求項６に記載の無線ＬＡＮシステムの干渉制御方法において、
前記無線ＬＡＮ基地局は、前記無線ＬＡＮ基地局と前記無線ＬＡＮ端末の周辺に配置される分散アンテナを備え、該分散アンテナを介して前記与干渉ＡＰ／ＳＴＡに関する無線環境情報を収集し、前記与干渉ＡＰ／ＳＴＡに送信待機期間を設定する干渉制御信号を送信する干渉制御信号送信機の機能と、前記無線環境情報に応じて通信エリア内に前記与干渉ＡＰ／ＳＴＡが存在する該分散アンテナを判別し、判別した分散アンテナから、前記無線ＬＡＮ基地局と前記無線ＬＡＮ端末の通信時間に対応する前記送信待機期間を設定する前記干渉制御信号を送信する制御を行う干渉制御信号管理装置の機能とを実行する
ことを特徴とする無線ＬＡＮシステムの干渉制御方法。
【発明の詳細な説明】
【技術分野】
【０００１】
本発明は、同一チャネル干渉に対して無線ＬＡＮ端末の低遅延および低ジッタを保証する無線ＬＡＮシステムおよび干渉制御方法に関する。
【背景技術】
【０００２】
無線ＬＡＮは、広帯域で誰でも簡単に設置できる利便性から、無線アクセス手段として広く普及している。無線ＬＡＮが使用する代表的な周波数は、 2.4ＧHz，５ＧHz帯である。これらの周波数帯は免許不要であることから、誰でも申請することなく無線機を設置し、利用可能である。
【０００３】
無線ＬＡＮは、ＩＥＥＥによって仕様（非特許文献１）が策定されており、無線アクセス方式にＣＳＭＡ／ＣＡ（Carrier Sense Multiple Access with Collision Avoidance）を使用している。ＣＳＭＡ／ＣＡでは、各無線ＬＡＮ端末が送信前にキャリアセンスを実施し、一定時間チャネルが使用されていないことを確認してから送信を開始する。チャネルが使用されている場合、チャネルの使用が終わるまで待機した後、予め定められた時間に加えて、ランダムに選択されたスロット数だけ送信を待機し、その間にチャネルの使用がなければ無線フレームを送信する。
【０００４】
このようにして、複数の無線ＬＡＮ端末間で自律的に衝突を回避することで、無線通信を行う。しかし、ＣＳＭＡ／ＣＡでは、互いにキャリアセンスしても検知できない端末同士が送信する信号が衝突して受信エラーとなる隠れ端末問題がある。この隠れ端末問題の対策としては、ＲＴＳ／ＣＴＳ手続きが標準技術として実装されている。これは送信前にＲＴＳと呼ばれる信号を送信し、受信機はＲＴＳを受信するとＣＴＳを送信する。この交換が行われたことを確認したあと、送信機は実際のデータフレームを送信する。ＲＴＳ, ＣＴＳフレームには、durationフィールドに、これから送信するデータフレームの伝送に必要な時間が書かれており、ブロードキャストされたＲＴＳ, ＣＴＳを受信した無線ＬＡＮ端末は、durationフィールドに書かれた時間だけ送信を待機する。無線ＬＡＮでは、この送信待機をＮＡＶ（Network Allocation Vector ）と呼び、仮想的にキャリアセンスでメディアがビジー状態であると設定するものである。ＲＴＳ／ＣＴＳ手続きをデータフレームの事前に行うことで、周囲の送信を抑制して干渉を低減する。
【０００５】
ＣＴＳ信号の使われ方の１つとして、ＣＴＳ-to-selfと呼ばれるものがある。これは前述のＲＴＳ／ＣＴＳ手順ではなく、ＣＴＳ単体で送信されるものであり、新しい無線規格とのバックワードコンパチビリティのため、新たな物理伝送方式を用いたデータフレームが、過去規格の無線ＬＡＮ端末で検知できない問題を解決するため、送信前に自分宛てのＣＴＳを旧伝送方式で送信し、自分以外の端末の通信を待機させ、新たな伝送方式でのデータフレームを送信する際に使用される。これにより、新たな伝送方式に非対応の端末が検知できなかったことによるパケットの衝突を防ぐ。
【先行技術文献】
【非特許文献】
【０００６】
【非特許文献１】P802.11-REVmc/D8.0, Aug 2016 - IEEE Approved Draft Standard for Information technology--Telecommunications and information exchange between systems - Local and metropolitan area networks--Specific requirements Part 11: Wireless LAN Medium Access Control (MAC) and Physical Layer (PHY) Specifications
【発明の概要】
【発明が解決しようとする課題】
【０００７】
無線ＬＡＮシステムにおける上記の基本的な通信方式を用いた場合、端末数が少なく、周囲からの干渉が少ないような環境では、安定した品質を確保できる。しかし、端末数の増加や、周囲からの干渉が増加した場合、無線フレームの衝突や、送信待機の頻発により通信品質は劣化する。特にリアルタイム性が求められるＶｏＩＰ（Voice over IP)やストリーミング動画などのアプリケーションの場合、無線ＬＡＮの遅延やジッタの通信品質が問題となる。
【０００８】
これに対し、無線ＬＡＮの標準規格（非特許文献１）でもＱｏＳ（Quality of Service) の技術が導入され、優先度毎にキャリアセンス時の待機時間を変更するアドミッション制御、あるいは、ポーリング型の集中制御による品質向上技術が標準化され、一部技術は実際に広く使用されている。しかしながら、工場等の機器に対して、ネットワークによる制御を行う場合や、ＶＲ（Virtual Reality)のアプリケーション等では、これまで以上の低遅延、低ジッタな通信を要求されるケースがあり、無線ＬＡＮでこれらを収容するためには、従来技術以上の品質確保が必要となる。特に、無線ＬＡＮは免許不要の周波数であり、誰でも申請することなく無線機を設置できることから、周囲からの干渉を抑制することが、安定的な通信の実現のために必要とされる。
【０００９】
本発明は、同一チャネルを使用する周囲の無線ＬＡＮ機器からの干渉を制限し、低遅延および低ジッタを要求条件とするアプリケーションにも対応可能とする無線ＬＡＮシステムおよび干渉制御方法を提供することを目的とする。
【課題を解決するための手段】
【００１０】
第１の発明は、通信を行う無線ＬＡＮ基地局と無線ＬＡＮ端末の周辺に、干渉信号を及ぼす与干渉ＡＰ／ＳＴＡが存在する無線ＬＡＮシステムにおいて、無線ＬＡＮ基地局と無線ＬＡＮ端末の周辺に、与干渉ＡＰ／ＳＴＡに関する無線環境情報を収集し、与干渉ＡＰ／ＳＴＡに送信待機期間を設定する干渉制御信号を送信する干渉制御信号送信機と、干渉制御信号送信機から無線環境情報を収集し、無線環境情報に応じて通信エリア内に与干渉ＡＰ／ＳＴＡが存在する干渉制御信号送信機を判別し、判別した干渉制御信号送信機に対して、無線ＬＡＮ基地局と無線ＬＡＮ端末の通信時間に対応する送信待機期間を設定する干渉制御信号を送信させる制御を行う干渉制御信号管理装置とを備え、干渉制御信号を受信した与干渉ＡＰ／ＳＴＡが送信待機期間を設定している間に、無線ＬＡＮ基地局と無線ＬＡＮ端末が優先的に通信を行う構成である。
【００１１】
第１の発明の無線ＬＡＮシステムにおいて、干渉制御信号管理装置は、干渉制御信号送信機が複数あるときに、各干渉制御信号送信機から送信する干渉制御信号で設定する送信待機期間を同一とし、各干渉制御信号送信機から干渉制御信号を同期して送信させる制御を行う構成である。
【００１２】
第１の発明の無線ＬＡＮシステムにおいて、干渉制御信号管理装置は、干渉制御信号送信機が複数あるときに、各干渉制御信号送信機から送信する干渉制御信号を所定の順番に送信させ、各干渉制御信号で設定する送信待機期間の終了が一致するように制御する構成である。
【００１３】
第１の発明の無線ＬＡＮシステムにおいて、干渉制御信号は、その宛先以外の無線ＬＡＮ機器が受信したときに送信待機期間を設定するＣＴＳ信号とし、干渉制御信号管理装置は、無線ＬＡＮ基地局がダウンリンクデータを送信するときに、ＣＴＳ信号の宛先を無線ＬＡＮ基地局とし、無線ＬＡＮ端末がアップリンクデータを送信するときに、ＣＴＳ信号の宛先を無線ＬＡＮ端末とする制御を行う構成である。
【００１４】
第１の発明の無線ＬＡＮシステムにおいて、無線ＬＡＮ基地局は、無線ＬＡＮ基地局と無線ＬＡＮ端末の周辺に配置される分散アンテナを備え、該分散アンテナを介して与干渉ＡＰ／ＳＴＡに関する無線環境情報を収集し、与干渉ＡＰ／ＳＴＡに送信待機期間を設定する干渉制御信号を送信する干渉制御信号送信機の機能と、無線環境情報に応じて通信エリア内に与干渉ＡＰ／ＳＴＡが存在する該分散アンテナを判別し、判別した分散アンテナから、無線ＬＡＮ基地局と無線ＬＡＮ端末の通信時間に対応する送信待機期間を設定する干渉制御信号を送信する制御を行う干渉制御信号管理装置の機能とを備える。
【００１５】
第２の発明は、通信を行う無線ＬＡＮ基地局と無線ＬＡＮ端末の周辺に、干渉信号を及ぼす与干渉ＡＰ／ＳＴＡが存在する無線ＬＡＮシステムの干渉制御方法において、無線ＬＡＮ基地局と無線ＬＡＮ端末の周辺に配置する干渉制御信号送信機は、与干渉ＡＰ／ＳＴＡに関する無線環境情報を収集し、与干渉ＡＰ／ＳＴＡに送信待機期間を設定する干渉制御信号を送信し、干渉制御信号送信機から無線環境情報を収集する干渉制御信号管理装置は、無線環境情報に応じて通信エリア内に与干渉ＡＰ／ＳＴＡが存在する干渉制御信号送信機を判別し、判別した干渉制御信号送信機に対して、無線ＬＡＮ基地局と無線ＬＡＮ端末の通信時間に対応する送信待機期間を設定する干渉制御信号を送信させる制御を行い、干渉制御信号を受信した与干渉ＡＰ／ＳＴＡが送信待機期間を設定している間に、無線ＬＡＮ基地局と無線ＬＡＮ端末が優先的に通信を行う。
【００１６】
第２の発明の無線ＬＡＮシステムの干渉制御方法において、無線ＬＡＮ基地局は、無線ＬＡＮ基地局と無線ＬＡＮ端末の周辺に配置される分散アンテナを備え、該分散アンテナを介して与干渉ＡＰ／ＳＴＡに関する無線環境情報を収集し、与干渉ＡＰ／ＳＴＡに送信待機期間を設定する干渉制御信号を送信する干渉制御信号送信機の機能と、無線環境情報に応じて通信エリア内に与干渉ＡＰ／ＳＴＡが存在する該分散アンテナを判別し、判別した分散アンテナから、無線ＬＡＮ基地局と無線ＬＡＮ端末の通信時間に対応する送信待機期間を設定する干渉制御信号を送信する制御を行う干渉制御信号管理装置の機能とを実行する。
【発明の効果】
【００１７】
本発明は、周囲の与干渉ＡＰ／ＳＴＡからの干渉を抑制し、特定の領域の無線ＬＡＮ機と無線ＬＡＮ端末との間の通信を保護し、無線ＬＡＮにおける通信品質（遅延、ジッタ、パケットロス) を向上させることが可能となる。
【図面の簡単な説明】
【００１８】
【図１】本発明の無線ＬＡＮシステムの構成例を示す図である。
【図２】本発明の無線ＬＡＮシステムの制御シーケンスの例１を示す図である。
【図３】本発明における干渉制御信号送信機２０の構成例を示す図である。
【図４】本発明における干渉制御信号管理装置３０の構成例を示す図である。
【図５】本発明の無線ＬＡＮシステムの制御シーケンスの例２を示す図である。
【図６】本発明の無線ＬＡＮシステムの制御シーケンスの例３を示す図である。
【図７】本発明の無線ＬＡＮシステムの他の構成例を示す図である。
【発明を実施するための形態】
【００１９】
図１は、本発明の無線ＬＡＮシステムの構成例を示す。
図１において、優先的通信が要求される保護対象の無線ＬＡＮ基地局（ＡＰ：Access Point）１１と無線ＬＡＮ端末（ＳＴＡ：Station)１２があり、その周辺に干渉源となる与干渉ＡＰ／ＳＴＡ１３−１，１３−２が存在する無線環境を想定する。さらに、与干渉ＡＰ／ＳＴＡの無線環境情報を取得する干渉制御信号送信機２０−１〜２０−４があり、ＡＰ１１および干渉制御信号送信機２０−１〜２０−４にネットワークを介して接続される干渉制御信号管理装置３０がある。ここでは、干渉制御信号送信機２０−１の通信エリア内に与干渉ＡＰ／ＳＴＡ１３−１があり、干渉制御信号送信機２０−２，２０−３の通信エリア内に与干渉ＡＰ／ＳＴＡ１３−２があり、ＡＰ１１および干渉制御信号送信機２０−４の通信エリア内には与干渉ＡＰ／ＳＴＡがないものとする。
【００２０】
本発明の特徴は、干渉制御信号管理装置３０において、ＡＰ１１の情報と、干渉制御信号送信機２０−１〜２０−４で収集した無線環境情報を取得し、ＡＰ１１およびＳＴＡ１２の周辺で同一チャネルを使用する与干渉ＡＰ／ＳＴＡ１３−１，１３−２と、与干渉ＡＰ／ＳＴＡを通信エリア内にもつ干渉制御信号送信機２０−１，２０−２，２０−３を把握する。そして、干渉制御信号送信機２０−１〜２０−３からＣＴＳ-to-self信号を送信させ、その通信エリア内の与干渉ＡＰ／ＳＴＡ１３−１，１３−２にＮＡＶ（Network Allocation Vector)を設定し、ＡＰ１１およびＳＴＡ１２の周辺に干渉信号のないクリーンな電波環境を形成し、ＡＰ１１とＳＴＡ１２の優先的通信を確保する。
【００２１】
なお、複数の干渉制御信号送信機２０−２，２０−３の共通の通信エリアに１つの与干渉ＡＰ／ＳＴＡ１３−２が存在するが、この場合には１つの干渉制御信号送信機（ここでは２０−２）を選択する。このとき、ＡＰ１１およびＳＴＡ１２においてクリーンな電波環境は、干渉制御信号送信機２０−１，２０−２の通信エリア（ＣＴＳ-to-self信号の到達範囲）Ｗ１，Ｗ２となる。
【００２２】
また、ＡＰ１１や干渉制御信号送信機２０−４の通信エリア内に与干渉ＡＰ／ＳＴＡは存在しないが、クリーンな電波環境を確実にするために、それらから予防的にＣＴＳ-to-self信号を送信させてもよい。ただし、互いの受信電力が所定値以上となる近接する複数の干渉制御信号送信機がある場合には、互いの受信電力が所定値未満となる干渉制御信号送信機を選択してＣＴＳ-to-self信号を送信させてもよい。
【００２３】
図２は、本発明の無線ＬＡＮシステムの制御シーケンスの例１を示す。
図２において、干渉制御信号管理装置３０は、ＡＰ１１からＳＴＡ１２との通信に係わる情報Ａ０と、干渉制御信号送信機２０−１〜２０−４からそれぞれの通信エリア内の与干渉ＡＰ／ＳＴＡ１３−１，１３−２に関する無線環境情報Ａ１〜Ａ４を収集する。干渉制御信号管理装置３０は、それらの情報に基づき、通信エリア内に与干渉ＡＰ／ＳＴＡ１３−１，１３−２がある干渉制御信号送信機２０−１，２０−２を選択し、保護対象のＡＰ１１およびＳＴＡ１２の通信に割り当てる時間を計算し、duration値として設定したＣＴＳ-to-self信号の送信制御に関わるスケジューリングポリシーを作成し、ＡＰ１１および干渉制御信号送信機２０−１，２０−２に通知信号Ｂとして送信する。
【００２４】
干渉制御信号送信機２０−１，２０−２は、タイミング同期をとってＣＴＳ-to-self信号を同時に送信すると、それを受信した通信エリア内の与干渉ＡＰ／ＳＴＡ１３−１，１３−２は、duration値に対応するＮＡＶを設定する。これにより、保護対象のＡＰ１１およびＳＴＡ１２ではＮＡＶの期間だけ干渉が抑制され、優先的通信が確保される。なお、ＡＰ１１からもＣＴＳ-to-self信号を送信するようにしてもよい。この場合には、ＳＴＡ１２もＮＡＶを設定するが、自局宛のデータ信号に対するＡＣＫ信号の送信は可能である。
【００２５】
図３は、本発明における干渉制御信号送信機２０の構成例を示す。
図３において、干渉制御信号送信機２０は、干渉制御信号管理装置３０と通信する通信Ｉ／Ｆ部２１と、無線ＬＡＮ信号を送受信するアンテナ２２および無線ＬＡＮ信号送受信部２３と、無線ＬＡＮ信号送受信部２３を制御して無線環境情報を収集し、収集した無線環境情報を通信Ｉ／Ｆ部２１を介して干渉制御信号管理装置３０に送信する無線環境情報スキャン部２４と、通信Ｉ／Ｆ部２１を介して干渉制御信号管理装置３０から通知信号（スケジューリングポリシー）を入力し、通知されたスケジューリングポリシーに従ってＣＴＳ信号を生成し、無線ＬＡＮ信号送受信部２３から送信するＣＴＳ信号送信制御部２５とを備える。
【００２６】
図４は、本発明における干渉制御信号管理装置３０の構成例を示す。
図４において、干渉制御信号管理装置３０は、ＡＰ１１および干渉制御信号送信機２０と通信する通信Ｉ／Ｆ部３１と、干渉制御信号送信機２０から通知される無線環境情報を収集する無線環境情報収集部３２と、保護対象のＡＰおよびＳＴＡを設定する保護対象設定部３３と、保護対象のＡＰおよびＳＴＡの通信時間に応じたduration値を計算し、保護対象のＡＰおよびＳＴＡに対して同一チャネルの干渉源となる与干渉ＡＰ／ＳＴＡ１３を判別し、その与干渉ＡＰ／ＳＴＡ１３を通信エリア内に含む干渉制御信号送信機２０を選択し、その干渉制御信号送信機２０に対してduration値を含むＣＴＳ信号の送信を指示するスケジューリングポリシーを生成するスケジューリングポリシー生成部３４とを備える。干渉制御信号管理装置３０は、選択した干渉制御信号送信機２０に対して、スケジューリングポリシー生成部３４で生成したスケジューリングポリシーを通知信号として送信する。
【００２７】
ここで、無線環境情報とは、無線ＬＡＮの各チャネルにおいて観測される無線ＬＡＮフレームに記載のＳＳＩＤ(Service Set IDentifier)、チャネル、帯域幅、利用無線ＬＡＮ規格、ＲＳＳＩ(Received Signal Strength Indicator)などである。干渉制御信号管理装置３０では、これらの無線環境情報に基づいて、保護対象のＡＰ１１およびＳＴＡ１２に対して干渉源となる与干渉ＡＰ／ＳＴＡ１３と、その与干渉ＡＰ／ＳＴＡ１３に対してＣＴＳ信号を送信する干渉制御信号送信機２０を判別し、通知する。干渉制御信号送信機２０のＣＴＳ信号送信制御部２５は、干渉制御信号管理装置３０から通知されたスケジューリングポリシーに応じたＣＴＳ信号を生成し、指定のタイミング、チャネル、送信電力でＣＴＳ信号を送信する制御を行う。
【００２８】
図５は、本発明の無線ＬＡＮシステムの制御シーケンスの例２を示す。
図５において、干渉制御信号管理装置３０が、ＡＰ１１の情報Ａ０と干渉制御信号送信機２０−１〜２０−４から通知される無線環境情報Ａ１〜Ａ４に基づき、通信エリア内に与干渉ＡＰ／ＳＴＡ１３−１，１３−２がある干渉制御信号送信機２０−１，２０−２を選択し、保護対象のＡＰ１１およびＳＴＡ１２の通信に割り当てる時間を計算し、duration値として設定したＣＴＳ-to-self信号を送信するように、干渉制御信号送信機２０−１，２０−２に通知信号を送信するところまでは、図２に示す例１と同じである。
【００２９】
例２の特徴は、干渉制御信号送信機２０−１，２０−２がＣＴＳ-to-self信号を同時に送信するのではなく、順番に送信するところにある。ただし、与干渉ＡＰ／ＳＴＡ１３−１，１３−２が設定するＮＡＶの終了時間が一致するように、干渉制御信号送信機２０−１，２０−２に対して送信する順番とＣＴＳ-to-self信号のduration値を設定する。これにより、例えば図１のように干渉制御信号送信機２０−１，２０−２の通信エリアの一部が重なる場合でも、ＣＴＳ-to-self信号の衝突を回避することができる。
【００３０】
図６は、本発明の無線ＬＡＮシステムの制御シーケンスの例３を示す。ここでは、保護対象のＡＰ１１およびＳＴＡ１２のアップリンクとダウンリンクに合わせたスケジューリングを行う例を示す。
【００３１】
図６において、ＡＰ１１からＳＴＡ１２へダウンリンクデータを送信するタイミングでは、ＡＰ１１および干渉制御信号送信機２０−１，２０−２は、ＡＰ１１を宛先とするＣＴＳ信号を送信する。このとき、それぞれの通信エリア内の与干渉ＡＰ／ＳＴＡ１３−１，１３−２がＮＡＶを設定し、保護対象のＡＰ１１およびＳＴＡ１２に対してクリーンな電波環境を形成している間に、ＡＰ１１からＳＴＡ１２へダウンリンクデータが送信される。
【００３２】
なお、ＳＴＡ１２は、ＡＰ１１および干渉制御信号送信機２０−１，２０−２からＡＰ１１を宛先とするＣＴＳ信号を受信するとＮＡＶを設定するが、ＳＴＡ１２宛のダウンリンクデータに対するＡＣＫ信号の送信は可能である。また、ＡＰ１１は、干渉制御信号送信機２０−１，２０−２からＡＰ１１を宛先とするＣＴＳ信号を受信しても、ＮＡＶを設定しないのでダウンリンクデータの送信に支障はない。
【００３３】
ＳＴＡ１２からＡＰ１１へアップリンクデータを送信するタイミングでは、ＡＰ１１および干渉制御信号送信機２０−１，２０−２は、ＳＴＡ１２を宛先とするＣＴＳ信号を送信する。このとき、自局宛のＣＴＳ信号を受信したＳＴＡ１２はＮＡＶを設定せず、干渉制御信号送信機２０−１，２０−２の通信エリア内の与干渉ＡＰ／ＳＴＡ１３−１，１３−２がＮＡＶを設定し、保護対象のＡＰ１１およびＳＴＡ１２に対してクリーンな電波環境を形成している間に、ＳＴＡ１２からＡＰ１１へアップリンクデータが送信される。
【００３４】
なお、ＳＴＡ１２は、ＡＰ１１および干渉制御信号送信機２０−１，２０−２からＳＴＡ１２を宛先とするＣＴＳ信号を受信しても、ＮＡＶを設定しないのでアップリンクデータの送信に支障はない。ＡＰ１１は、干渉制御信号送信機２０−１，２０−２からＳＴＡ１２を宛先とするＣＴＳ信号を受信するとＮＡＶを設定するが、ＡＰ１１宛のアップリンクデータに対するＡＣＫ信号の送信は可能である。
【００３５】
図７は、本発明の無線ＬＡＮシステムの他の構成例を示す。
図７において、ＡＰ１１が複数の分散アンテナを備える構成とし、図１に示す干渉制御信号送信機２０−１〜２０−４の位置に、その分散アンテナ１−１〜１−４を配置する。また、ＡＰ１１には、図３に示す干渉制御信号送信機２０および図４に示す干渉制御信号管理装置３０の機能を備える。これにより、各分散アンテナを介して検知した与干渉ＡＰ／ＳＴＡ１３に応じて、対応する分散アンテナからＣＴＳ信号を送信することにより、保護対象のＡＰ１１およびＳＴＡ１２に対してクリーンな電波環境を形成し、ＡＰ１１とＳＴＡ１２の優先的通信を確保することができる。
【符号の説明】
【００３６】
１１  無線ＬＡＮ基地局（ＡＰ）
１２  無線ＬＡＮ端末（ＳＴＡ）
１３  与干渉ＡＰ／ＳＴＡ
２０  干渉制御信号送信機
２１  通信Ｉ／Ｆ部
２２  アンテナ
２３  無線ＬＡＮ信号送受信部
２４  無線環境情報スキャン部
２５  ＣＴＳ信号送信制御部
３０  干渉制御信号管理装置
３１  通信Ｉ／Ｆ部
３２  無線環境情報収集部
３３  保護対象設定部
３４  スケジューリングポリシー生成部
【図１】
2020080489.tif 000003
【図２】
2020080489.tif 000004
【図３】
2020080489.tif 000005
【図４】
2020080489.tif 000006
【図５】
2020080489.tif 000007
【図６】
2020080489.tif 000008
【図７】
2020080489.tif 000009